【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
表面に光反射性の配線パターンを有し、前記配線パターンの一部にチップ搭載層を含む回路基板と、
前記チップ搭載層上に直接に戴置され、前記配線パターンを通じて流れる電流により駆動される１または２以上の発光素子チップと
を備えた光源回路ユニット。
【請求項２】
前記回路基板上に前記発光素子チップおよびその周辺領域を覆う封止レンズを有する、請求項１に記載の光源回路ユニット。
【請求項３】
前記発光素子チップは発光ダイオードである、請求項１または請求項２に記載の光源回路ユニット。
【請求項４】
前記発光素子チップは片面に一対の電極を有し、前記配線パターンは、前記チップ搭載層と、前記発光素子チップの２つの電極がそれぞれ電気的に接続される第１配線層および第２配線層とを含む、請求項１乃至請求項３のいずれか１つに記載の光源回路ユニット。
【請求項５】
前記発光素子チップは両面に一対の電極を有し、前記配線パターンは、前記発光素子チップの一方の電極が電気的に接続される、前記チップ搭載層を兼ねた配線層と、他方の電極が電気的に接続される他の配線層とを含む、請求項１乃至請求項４のいずれか１つに記載の光源回路ユニット。
【請求項６】
前記配線パターンと前記封止レンズとの間に白色レジスト層を有すると共に、前記封止レンズにより覆われた領域内の前記配線パターン間に、前記白色レジスト層と同材料による反射層を有する、請求項１乃至請求項５のいずれか１つに記載の光源回路ユニット。
【請求項７】
少なくとも前記回路基板上の、前記封止レンズにより覆われた領域内の前記配線パターン間に、前記配線パターンと同材料による反射層を有する、請求項１乃至請求項４のいずれか１つに記載の光源回路ユニット。
【請求項８】
前記回路基板上の全面に、前記封止レンズに対応して開口が形成された反射シートを有する、請求項１乃至請求項７のいずれか１つに記載の光源回路ユニット。
【請求項９】
前記回路基板は、樹脂製フィルムに配線パターンが印刷されたもの、表面に絶縁膜が形成された反射性金属基板の前記絶縁膜上に配線パターンが印刷されたもの、あるいはガラス含有樹脂フィルム上に配線パターンが印刷されたものである、請求項１乃至請求項８のいずれか１つに記載の光源回路ユニット。
【請求項１０】
前記回路基板上に２以上の発光素子チップを有し、前記反射層を発光素子チップ間の領域を含む、前記回路基板の全面に有する、請求項１乃至請求項９のいずれか１つに記載の光源回路ユニット。
【請求項１１】
前記回路基板の裏面に放熱性の金属シートがラミネートされている、請求項１乃至請求項１０のいずれか１つに記載の光源回路ユニット。
【請求項１２】
内部に光源回路ユニットを支持する支持部材と、
前記光源回路ユニットの全面に対向配置された拡散シートとを備え、
前記光源回路ユニットは、表面に光反射性の配線パターンを有し、前記配線パターンの一部にチップ搭載層を含む回路基板と、
前記チップ搭載層上に直接に戴置され、前記配線パターンを通じて流れる電流により駆動される複数の発光素子チップと
を備えた照明装置。
【請求項１３】
内部に導光板を支持する支持部材と、
前記導光板の全面に対向配置された拡散シートと、
前記支持部材内の前記導光板の端面に対向配置された光源回路ユニットとを備え、
前記光源回路ユニットは、表面に光反射性の配線パターンを有し、前記配線パターンの一部にチップ搭載層を含む回路基板と、
前記チップ搭載層上に直接に戴置され、前記配線パターンを通じて流れる電流により駆動される複数の発光素子チップと
を備えた照明装置。
【請求項１４】
前面から背面への貫通孔を有する支持部材と、
前記支持部材の前方に支持された光学シートと、
コネクタを有し、前記支持部材の背面に配置された駆動基板と、
前記光学シートと前記支持部材との間に配置されると共に、前記貫通孔を介して前記支持部材の背面まで延在し、かつ前記コネクタを介して前記駆動基板に電気的に接続された、折り曲げ可能な光源回路ユニットとを備え、
前記光源回路ユニットは、表面に光反射性の配線パターンを有し、前記配線パターンの一部にチップ搭載層を含む回路基板と、
前記チップ搭載層上に直接に戴置され、前記配線パターンを通じて流れる電流により駆動される１または２以上の発光素子チップと
を備えた照明装置。
【請求項１５】
前面から背面への貫通孔を有する支持部材と、
前記支持部材の前方に支持された光学シートと、
コネクタを有し、前記支持部材の背面に配置された駆動基板と、
前記光学シートと前記支持部材との間に併設された複数の光源回路ユニットと、
前記支持部材の内部から前記貫通孔を通って背面に至ると共に、前記複数の光源回路ユニットそれぞれとは異方性導電樹脂を介して、前記駆動基板とは前記コネクタを介して電気的に接続された折り曲げ可能な接続部材とを備え、
前記光源回路ユニットは、表面に光反射性の配線パターンを有し、前記配線パターンの一部にチップ搭載層を含む回路基板と、
前記チップ搭載層上に直接に戴置され、前記配線パターンを通じて流れる電流により駆動される１または２以上の発光素子チップとを
備えた照明装置。
【請求項１６】
光学シートと、
中央から端面側になるにつれて前記光学シートとの距離が狭くなるような湾曲底面を有する支持部材と、
複数の発光素子チップを（１または２以上の）列状に有すると共に、前記支持部材内に前記湾曲底面に沿って収容された折り曲げ可能な光源回路ユニットと、
前記光学シートの両端近傍から前記支持部材の背面全体を覆うと共に、前記支持部材の湾曲底面に倣った傾斜面を有する背面保護部材とを備え、
前記光源回路ユニットは、表面に光反射性の配線パターンを有し、前記配線パターンの一部にチップ搭載層を含む回路基板と、
前記チップ搭載層上に直接に戴置され、前記配線パターンを通じて流れる電流により駆動される１または２以上の発光素子チップと
を備えた照明装置。
【請求項１７】
前記複数の発光素子チップの列方向の配列ピッチが前記収容空間の幅が狭くなるにつれて狭くなっている、請求項１６に記載の照明装置。
【請求項１８】
面輝度を均一化するよう前記複数の発光素子チップに対する駆動電流を前記発光素子チップの列方向の配列ピッチに応じて調整する、請求項１７に記載の照明装置。
【請求項１９】
表示パネルと、
前記表示パネルに対する光源としての光源回路ユニットとを備え、
前記光源回路ユニットは、表面に光反射性の配線パターンを有し、前記配線パターンの一部にチップ搭載層を含む回路基板と、
前記チップ搭載層上に直接に戴置され、前記配線パターンを通じて流れる電流により駆動される１または２以上の発光素子チップと
を備えた表示装置。
【手続補正２】
【補正対象書類名】明細書
【補正対象項目名】００１２
【補正方法】変更
【補正の内容】
【００１２】
〔実施の形態〕
図１は、本開示の一実施の形態に係る光源回路ユニット１の構成を表すものである。この光源回路ユニット１は、例えば液晶表示装置などの表示装置のバックライトや白熱電球や蛍光灯に代わる光源回路ユニットとして用いられるものであり、回路基板１１上にドーム状の封止レンズ１２により覆われた発光素子チップ、例えばＬＥＤチップ１３を備えている。ＬＥＤチップ１３の数はここでは１個としているが、後述の変形例のように２以上としてもよく、直下式バックライトに適用する場合には行列状に多数のＬＥＤチップ１３を用いる。
【手続補正３】
【補正対象書類名】明細書
【補正対象項目名】００１４
【補正方法】変更
【補正の内容】
【００１４】
なお、上記のように工程を簡略化するためには配線層１４Ａ，１４Ｂおよびチップ搭載層１４Ｃは同一材料により同一工程で形成されたものが好ましいが、特にチップ搭載層１４Ｃが光反射機能を有するものであれば、チップ搭載層１４Ｃは配線層１４Ａ，１４Ｂとは異なる材料により異なる工程で形成してもよい。
【手続補正４】
【補正対象書類名】明細書
【補正対象項目名】００１５
【補正方法】変更
【補正の内容】
【００１５】
ＬＥＤチップ１３は、例えば図２に示したように、表面に２つの電極（ｎ型電極１３Ａおよびｐ型電極１３Ｂ）を有している。このＬＥＤチップ１３は、例えば透明基板１３ａの上に形成されたバッファ層１３ｂ，ｎ型クラッド層１３ｃ、活性層１３ｄ、ｐ型クラッド層１３ｅおよびキャップ層１３ｆにより構成されている。ｎ型電極１３Ａはｎ型クラッド層１３ｃ、ｐ型電極１３Ｂはキャップ層１３ｆにそれぞれ電気的に接続されている。
【手続補正５】
【補正対象書類名】明細書
【補正対象項目名】００３０
【補正方法】変更
【補正の内容】
【００３０】
この光源回路ユニット２では、ＬＥＤチップ１３の裏面側から回路基板１１側へ向う裏面発光光は光反射機能を有するチップ搭載層１４Ｃの表面で反射され、図１に矢印で示したように前方に取り出されることは、上記実施の形態と同様である。加えて、この光源回路ユニット２では、前方に取り出された光は拡散シート２１により拡散されるが、その一部は反射して回路基板１１側へ戻される。この拡散シート２１からの戻り光は配線パターン１４の空き領域に形成された反射層２２により再び拡散シート２１側へ効果的に反射される。また、封止レンズ１２に蛍光物質が含まれている場合には、封止レンズ１２内で発光し、回路基板１１側に向う光についても同様に反射層２２により拡散シート２１側へ反射される。
【手続補正６】
【補正対象書類名】明細書
【補正対象項目名】００３３
【補正方法】変更
【補正の内容】
【００３３】
（変形例３）
図５に示した光源回路ユニット４は、上記光源回路ユニット２の回路基板１１の裏面に放熱性の金属シート２４をラミネートし、ビス２５Ａ，２５Ｂにより回路基板１１と共に、バックシャーシ２６に固定したものである。金属シート２４は、具体的には、例えば厚み５０μｍ〜１５０μｍのＡｌ薄板やＣｕ薄板とする。この程度の厚みであれば、回路基板１１は金属シート２４とともに折り曲げ可能である。この金属シート２４は、例えば図６に示したロール・ツー・ロール（Roll To Roll) 方式により回路基板１１の裏面に一体化することができる。即ち、樹脂製フィルムロール２７から樹脂フィルム２７Ａを、Ａｌシートロール２８からＡｌシート２８Ａを、粘着剤ロール２９から粘着シート２９Ａをそれぞれ中間ロール３０を介して送り出し、圧着ロール３１において樹脂フィルム２７Ａの裏面全面にＡｌシート２８Ａをラミネートする。そののち、配線パターン印刷機３２において、樹脂フィルム２７Ａの表面に例えばＡｌによる配線パターンを印刷する。配線パターンが印刷された樹脂フィルム２７Ａはカッター３３により所望の大きさに切断され、これにより裏面に金属シート２４を有する回路基板１１が作製される。なお、ＬＥＤチップ１３をダイボンディングする前に、回路基板１１の金属シート２４をシワなく形成できるものであれば、上記方法に限らず、他の方法でもよい。粘着剤としては、例えばエポキシ樹脂などが用いられる。なお、後述の放熱効果を高めるために、粘着剤中に例えばアルミナなどの高熱伝導性の粒子を混入して熱伝導性を高めるようにしてもよい。
【手続補正７】
【補正対象書類名】明細書
【補正対象項目名】００３８
【補正方法】変更
【補正の内容】
【００３８】
（適用例１）
図８は直下型のバックライト４０を用いた液晶表示装置の構成を表すものである。このバックライト４０は、例えば上記光源回路ユニット１をバックシャーシ４１（支持部材）の底面に配置したものである。光源回路ユニット１の上方にはミドルシャーシ４２により光学シート、例えば拡散シート４３が支持されている。バックシャーシ４１の側壁にも拡散シート４４が設けられている。
【手続補正８】
【補正対象書類名】明細書
【補正対象項目名】００４０
【補正方法】変更
【補正の内容】
【００４０】
（適用例２）
上記のような直下型のバックライトでは、基板の製造上の都合で、大判の光源回路ユニット１を製造することが困難であり、基板を細かく分割する場合がある。図９（Ａ），（Ｂ）はこのような分割基板を用いたバックライト５０の構成を表している。図９（Ａ）はその平面構成、図９（Ｂ）はその断面構成を表すものである。このバックライト５０は、例えば上記光源回路ユニット１をバックシャーシ５１（支持部材）の底面に配置したものである。光源回路ユニット１は、複数個、並列配置されており、これら複数の光源回路ユニット１に共通に反射シート５１が設けられている。反射シート５８は例えばＡｌにより構成されており、各ＬＥＤチップ１３に対応して開口５１Ａを有している。
【手続補正９】
【補正対象書類名】図面
【補正対象項目名】図６
【補正方法】変更
【補正の内容】
【図６】
2012204370.tif 000001
【手続補正１０】
【補正対象書類名】図面
【補正対象項目名】図９
【補正方法】変更
【補正の内容】
【図９】
2012204370.tif 000002
【手続補正１１】
【補正対象書類名】図面
【補正対象項目名】図１０
【補正方法】変更
【補正の内容】
【図１０】
2012204370.tif 000003